(57)【要約】      （修正有）【課題】原稿を複数のくるみ製本された複数の冊子に分冊して製本する際に、各冊子の背が視認し辛い場合であっても、各冊子が同じシリーズであることを容易に確認できる。【解決手段】シリーズ画像を複数の分割画像に分割して、分割画像をシリーズ順と並び順とを対応させて、各冊子に割り当て、複数の冊子がシリーズであることを示すシリーズ画像ＳＧを、複数の冊子の天、地または小口の少なくともいずれかに表示させるように、原稿の本紙画像データを編集する。【選択図】図１２
2013223103.tif 000002
【特許請求の範囲】
【請求項１】
原稿をくるみ製本された複数の冊子に分冊して製本するために、前記原稿のデータを編集するデータ編集装置であって、
前記複数の冊子がシリーズであることを示すシリーズ画像を、前記複数の冊子の天、地または小口の少なくともいずれかに表示させるように、前記データを編集するデータ編集部を備えたことを特徴とするデータ編集装置。
【請求項２】
前記データ編集部が、前記シリーズ画像を複数の分割画像に分割して該各分割画像を前記各冊子に割り当て、前記各分割画像を前記各冊子の天、地または小口の少なくともいずれかに表示させるように、前記データを編集するものであることを特徴とする請求項１に記載のデータ編集装置。
【請求項３】
前記シリーズ画像が、前記複数の分割画像を所定の並び順で配置したときにのみ復元される画像であり、
前記データ編集部が、前記複数の冊子のシリーズ順と前記所定の並び順とを対応させて該各分割画像を前記各冊子に割り当て、前記各分割画像を前記各冊子の天、地または小口の少なくともいずれかに表示させるように、前記データを編集するものであることを特徴とする請求項２に記載のデータ編集装置。
【請求項４】
前記シリーズ画像が、複数のサブ画像から構成される画像であり、
前記データ編集部が、前記各サブ画像を前記各冊子に割り当て、前記各サブ画像を前記各冊子の天、地または小口の少なくともいずれかに表示させるように、前記データを編集するものであることを特徴とする請求項１に記載のデータ編集装置。
【請求項５】
原稿をくるみ製本された複数の冊子に分冊して製本するために、前記原稿のデータを編集するためにコンピュータを、
前記複数の冊子が前記原稿のシリーズであることを示すシリーズ画像を前記複数の冊子の天、地または小口の少なくともいずれかに表示させるように、前記画像データを編集する画像データ編集手段として機能させるためのデータ編集プログラム。
【発明の詳細な説明】
【技術分野】
【０００１】
本発明はくるみ製本用のデータ編集装置およびプログラムに関する。より詳しくは、原稿をくるみ製本された複数の冊子に分冊して製本するために、原稿のデータを編集するデータ編集装置およびプログラムに関する。
【背景技術】
【０００２】
従来、複数の本紙を束ねて表紙で包んで冊子に製本するくるみ製本が知られている。このくるみ製本は、原稿を１つの冊子に製本することもできるし、複数の冊子に分冊して製本することもできる。そして、同じ原稿のシリーズであることを示すシリーズ画像を各冊子の背に表示させることにより、複数の冊子を並べた際にこれらの冊子が同じシリーズであることを視認させる技術が知られている。特許文献１には、ファイルの背表紙の印刷において、連続して並ぶファイルの背表紙に連続的に変化する模様を印刷することにより、ファイルの整理状況を確認できる技術が提案されている。
【先行技術文献】
【特許文献】
【０００３】
【特許文献１】特開平８−１９２５５７号公報
【発明の概要】
【発明が解決しようとする課題】
【０００４】
しかしながら、各冊子の背にシリーズ画像が表示されていても、各冊子にカバーを取り付けた場合等には、シリーズ画像が容易に視認できないため、複数の冊子が同じシリーズなのか容易に確認できず、煩わしさを感じる虞がある。
【０００５】
本発明の目的は、上記事情に鑑み、各冊子の背が視認し辛い場合であっても、複数の冊子が同じシリーズであることを容易に確認できるデータ編集装置およびプログラムを提供することにある。
【課題を解決するための手段】
【０００６】
上記の課題を解決するために、本発明のデータ編集装置は、原稿をくるみ製本された複数の冊子に分冊して製本するために、原稿のデータを編集するデータ編集装置であって、複数の冊子がシリーズであることを示すシリーズ画像を、複数の冊子の天、地または小口の少なくともいずれかに表示させるように、データを編集するデータ編集部を備えたことを特徴とする。
【０００７】
本発明のデータ編集プログラムは、コンピュータを上記のデータ編集装置として機能させるために、上記データ編集部をデータ編集手段として機能させるものである。
【０００８】
ここで、本発明のデータ編集装置およびプログラムにおける「原稿」とは、１つの内容または互いに関連する複数の内容が、複数の表紙および複数枚の表紙に印刷されているものを意味する。また、上記「原稿のデータを編集する」とは、原稿を表すデータを編集することを意味するものであり、原稿内の既在の文字および画像等の位置や、大きさや、向きを変更することに限定されず、新たな文字や画像等を付加することをも含んでいる。また、上記「シリーズ画像」とは、並べて表示した際に同じ当該画像が表示されているものが同じシリーズに属することを想起させる１つの画像または複数の画像群を意味する。
【０００９】
また、本発明のデータ編集装置は、データ編集部が、シリーズ画像を複数の分割画像に分割して各分割画像を各冊子に割り当て、各分割画像を各冊子の天、地または小口の少なくともいずれかに表示させるように、データを編集するものであってもよい。
【００１０】
また、本発明のデータ編集装置は、シリーズ画像が、複数の分割画像を所定の並び順で配置したときにのみ復元される画像であり、データ編集部が、複数の冊子のシリーズ順と所定の並び順とを対応させて各分割画像を各冊子に割り当て、各分割画像を各冊子の天、地または小口の少なくともいずれかに表示させるように、データを編集するものであってもよい。
【発明の効果】
【００１１】
本発明のデータ編集装置およびプログラムによれば、複数の冊子がシリーズであることを示すシリーズ画像を、複数の冊子の天、地または小口の少なくともいずれかに表示させるように、データを編集するため、ユーザは、各冊子の背が視認し辛い場合であっても、天、地または小口を確認することにより、複数の冊子が同じシリーズのものであることを容易に確認できる。
【００１２】
また、本発明のデータ編集装置によれば、シリーズ画像を複数の分割画像に分割して各分割画像を各冊子に割り当て、各分割画像を各冊子の天、地または小口の少なくともいずれかに表示させるように、データを編集するため、複数の冊子を並べた際に天、地または小口の少なくともいずれかにシリーズ画像が復元されることにより、複数の冊子が同じシリーズのものであることをより容易に確認できるとともに、複数の冊子を並べた際の美観が向上する。
【００１３】
また、本発明のデータ編集装置によれば、シリーズ画像が、複数の分割画像を所定の並び順で配置したときにのみ復元される画像であり、複数の冊子のシリーズ順と所定の並び順とを対応させて各分割画像を各冊子に割り当て、各分割画像を各冊子の天、地または小口の少なくともいずれかに表示させるように、データを編集するため、複数の冊子を並べた際に、複数の冊子が同じシリーズのものであるかを確認するとともに、シリーズ画像の復元状態によって各冊子がシリーズ順に並んでいるかも容易に確認できる。
【００１４】
また、本発明のデータ編集装置によれば、シリーズ画像が、複数のサブ画像から構成される画像であり、各サブ画像を各冊子に割り当て、各サブ画像を各冊子の天、地または小口の少なくともいずれかに表示させるように、データを編集するため、複数の冊子を並べた際に天、地または小口の少なくともいずれかにシリーズ画像が復元されることにより、複数の冊子が同じシリーズのものであることをより容易に確認できるとともに、複数の冊子を並べた際の美観が向上する。
【図面の簡単な説明】
【００１５】
【図１】くるみ製本システムの概略構成図
【図２】データ編集部のブロック図
【図３】区切ページの設定画面
【図４Ａ】表紙印刷画像の編集画面を示す図（その１）
【図４Ｂ】表紙印刷画像の編集画面を示す図（その２）
【図５】本紙印刷画像の編集画面を示す図
【図６】シリーズ画像の表示箇所の設定画面
【図７】シリーズ画像の詳細設定画面
【図８】シリーズ画像の各表示箇所における詳細設定画面
【図９】シリーズ画像の表示態様の設定画面
【図１０】共通のシリーズ画像を表示させる処理の模式図
【図１１】共通のシリーズ画像の表示させた状態を示す図
【図１２】シリーズ画像を分割して表示させる処理の模式図（その１）
【図１３】シリーズ画像を分割して表示させる処理の模式図（その２）
【図１４】サブ画像からなるシリーズ画像を表示させる処理の模式図
【図１５】インデックス画像を表示させる処理の模式図
【図１６】複数の表示態様を組み合わせてシリーズ画像を表示させた状態を示す図
【図１７Ａ】データ編集部の一連の処理を示すフローチャート（その１）
【図１７Ｂ】データ編集部の一連の処理を示すフローチャート（その２）
【発明を実施するための形態】
【００１６】
本発明の実施形態について図面を参照して説明する。図１は、本発明の一実施形態であるデータ編集部４４を備えたくるみ製本システム１の概略構成図である。くるみ製本システム１は、図１に示すように、印刷装置２、印刷装置２に隣接する製本装置３、印刷装置２とネットワークを介して接続するコンピュータ４とから構成されている。
【００１７】
くるみ製本システム１は、コンピュータ４において、原稿データＤＤを生成し、原稿データＤＤに基づいて画像データＧＤを生成し、画像データＧＤに基づいて印刷データＰＤを生成する。そして、印刷装置２において、印刷データＰＤに基づいて、複数枚の表紙Ｃと複数枚の本紙Ｈとを印刷し、製本装置３において、複数枚の本紙Ｈを束ねて各表紙Ｃで包むことにより、複数の冊子に製本する。
【００１８】
原稿Ｄは、１つの内容または互いに関連する複数の内容を有するものであり、複数枚の表紙Ｃからなる表紙原稿ＣＤおよび複数枚の本紙Ｈからなる本紙原稿ＨＤから構成される。そして、原稿Ｄは、複数枚の本紙Ｈを各表紙Ｃで包んで製本することにより、複数の冊子に製本される。原稿データＤＤは、表紙原稿ＣＤを表す表紙原稿データＣＤＤと本紙原稿ＨＤを表す本紙原稿データＨＤＤとから構成される。
【００１９】
画像データＧＤは、表紙Ｃの印刷画像（以下、表紙画像ＣＧという）を表す表紙画像データＣＧＤと複数の本紙Ｈの印刷画像（以下、本紙画像ＨＧという）を表す複数の本紙画像データＨＧＤとから構成される。印刷データＰＤは、表紙Ｃの印刷ジョブデータである表紙印刷データＣＰＤと本紙Ｈの印刷ジョブデータである本紙印刷データＨＰＤとから構成される。印刷データＰＤはＰＤＬ（Page Description Language）データやラスターデータで構成される。
【００２０】
最初に印刷装置２について説明する。印刷装置２は、印刷データＰＤをコンピュータ４からネットワークを介して受け取り、各表紙印刷データＣＰＤに基づいて各表紙用紙に複数枚の表紙Ｃと本紙印刷データＨＰＤに基づいて本紙用紙に複数枚の本紙Ｈとを印刷するものである。印刷装置２は、印刷制御部２１、画像データ記憶部２２、印刷給紙部２３および印刷部２４を備えている。
【００２１】
印刷制御部２１は、各部を制御することにより印刷装置２の全体を制御するものである。また、印刷制御部２１は、コンピュータ４から印刷データＰＤを受け取り、印刷データＰＤに基づいて画像データＧＤに展開する。印刷制御部２１は、表紙印刷データＣＰＤに基づいて表紙画像データＣＧＤ、本紙印刷データＨＰＤに基づいて複数の本紙画像データＨＧＤにそれぞれ展開する。
【００２２】
画像データ記憶部２２は、表紙画像データＣＧＤおよび複数の本紙画像データＨＧＤを印刷が行われるまで記憶するものである。印刷給紙部２３は、印刷部２４に表紙用紙または本紙用紙を給紙するものである。印刷給紙部２３は、表紙用紙を給紙トレイ２３Ａ、本紙用紙を給紙トレイ２３Ｂにそれぞれ収納する。印刷給紙部２３は、収納されている表紙用紙および本紙用紙の大きさ、厚み、名称等の情報を記憶している。
【００２３】
印刷部２４は、画像データＧＤに基づいて、複数枚の表紙Ｃおよび／または複数枚の本紙Ｈを印刷するものである。印刷部２４は、表紙画像データＣＧＤに基づいて、表紙用紙に表紙Ｃを印刷し、本紙画像データＨＧＤに基づいて、本紙用紙に複数枚の本紙Ｈを印刷する。印刷部２４には、孔版印刷プリンタやインクジェットプリンタやレーザープリンタ等を用いてもよい。本紙印刷データＨＰＤには、ページ数情報、片面印刷または両面印刷かの印刷条件情報も付加されており、印刷制御部２１は、これらの情報に基づいて、本紙Ｈの枚数に本紙用紙１枚あたりの厚みを乗算して本紙束の厚みを算出し、印刷部２４に表紙用紙を適切なサイズに裁断した後に表紙を印刷させる。
【００２４】
次に製本装置３について説明する。製本装置３はくるみ製本装置である。製本装置３は、印刷装置２より複数枚の表紙Ｃおよび複数枚の本紙Ｈを受け取り、複数枚の本紙Ｈを束ねて複数の本紙束を生成し、各本紙束の背側の側面に接着剤を塗布した後、各表紙Ｃでそれぞれ包んで製本するものである。また、製本装置３は、本紙束の小口側、天側および地側の各側面から所定寸法だけ内側を裁断（以下、化粧裁ちと言う。）して製本できる。本実施形態では、化粧裁ちが行われるものとする。なお、製本装置３は、１冊分の表紙Ｃおよび本紙Ｈを順次受け取ることにより、原稿Ｄを分冊して製本する。
【００２５】
次にコンピュータ４について説明する。コンピュータ４は、表示部４Ａ、入力部４Ｂおよび本体４Ｃから構成されている。表示部４Ａは、液晶モニタ等の表示装置であり、原稿データ作成プログラム、プリンタドライバおよびデータ編集プログラムを表示する。入力部４Ｂは、キーボード、マウス、ポインティングデバイス等の入力装置であり、原稿データ作成プログラム、プリンタドライバおよびデータ編集プログラムの操作を受け付ける。
【００２６】
本体４Ｃは、中央処理装置（ＣＰＵ）および半導体メモリやハードディスク等から構成され、原稿データ作成プログラム、プリンタドライバおよびデータ編集プログラムをインストールすることにより、コンピュータ４を、原稿データ作成部４２、印刷出力部４３およびデータ編集部４４として機能させる。メモリ４１は、原稿データ作成プログラム、プリンタドライバ、データ編集プログラム、原稿データＤＤおよび画像データＧＤを記憶するものである。なお、原稿データＤＤおよび画像データＧＤは他のコンピュータで作成されたものであってもよい。
【００２７】
原稿データ作成部４２は、原稿データＤＤを生成するものである。原稿データ作成プログラムには、原稿作成用としてMicrosoft社のWord（登録商標）、Excel（登録商標）、PowerPoint（登録商標）、原稿データＤＤへの変換用としてPDF（登録商標）ドライバ等のプログラムを用いてもよい。
【００２８】
原稿データ作成部４２は、表紙原稿ＣＤの画像（以下、表紙原稿画像ＣＤＧという。）および本紙原稿ＨＤの画像（以下、本紙原稿画像ＨＤＧという。）を表示部４Ａに表示しながら、入力部４Ｂからのユーザ操作に基づいて形成し、PDF（Portable Document Format）形式の原稿データＤＤを生成する。原稿データ作成部４２は、本紙原稿ＨＤのページ情報およびインデックス情報を本紙原稿データＨＤＤに付加する。印刷出力部４３は、データ編集部４４から画像データＧＤを受け取り、印刷データＰＤを生成して印刷装置２に出力するものである。コンピュータ４は、データ編集部４４が印刷処理を行い、プリンタドライバが起動させると、印刷出力部４３として機能する。
【００２９】
本発明の一実施形態であるデータ編集部４４は、原稿データＤＤに基づいて、各冊子の画像データＧＤを生成するものであり、表紙原稿データＣＤＤに基づいて複数の表紙画像データＣＧＤ、本紙原稿データＨＤＤに基づいて複数の本紙画像データＨＧＤを生成する。図２はデータ編集部４４のブロック図を示す。データ編集部４４は、図２に示す通り、制御部４４１、表紙画像データ編集部４４２および本紙画像データ編集部４４３およびから構成されている。制御部４４１は、上記の各部、表示部４Ａおよび入力部４Ｂを制御することにより、データ編集部４４としてコンピュータ４の全体を制御するものである。制御部４４１は、入力部４Ｂが受け付けたユーザ指定の原稿データＤＤをメモリ４１から読み出す。また、制御部４４１は、表示部４Ａに図３のような設定画面を表示させ、入力部４Ｂに複数の冊子に分冊する際の原稿Ｄの区切ページの指定を受け付けさせ、区切ページを設定する。
【００３０】
区切ページの指定は、ページ番号であってもよく、章であってもよい。本実施形態では、制御部４４１は、ページ番号を受け付けた場合、受け付けたページ番号が各冊子の最終ページとなるように設定する。なお、受け付けたページ番号が各冊子の最初のページとなるようにしてもよい。また、本実施形態では、章を受け付けた場合、受け付けた章の最後のページが各冊子の最終ページとなるように設定する。なお、受け付けた章の最初のページが各冊子の最初ページとなるようにしてもよい。制御部４４１は、複数の冊子が同じシリーズであることを示すシリーズ画像ＳＧを各冊子の天、地または小口の少なくともいずれかに表示させるための条件を設定するものでもある。制御部４４１によるシリーズ画像ＳＧの条件設定については後述する。
【００３１】
表紙画像データ編集部４４２は、表紙原稿データＣＤＤに基づいて、各冊子の表紙画像データＣＧＤを編集するものである。図４Ａおよび図４Ｂは表紙画像ＣＧの編集画面を示す。表紙画像データ編集部４４２は、図４Ａおよび図４Ｂに示すように、白紙表紙画像上に表紙原稿画像ＣＤＧを配置して表紙画像ＣＧを表示するとともに、表紙画像ＣＧのサムネイル画像も表示する。ユーザは表紙画像ＣＧを参照しながら、白紙表紙画像上の表紙原稿画像ＣＤＧが所望の位置、方向および大きさとなるように入力部４Ｂを操作する。本紙画像データ編集部４４３は、入力部４Ｂが受け付けた操作情報に基づいて、表紙画像データＣＧＤを編集する。
【００３２】
表紙画像ＣＧは、図４Ａおよび図４Ｂに示す通り、表表紙画像、背表紙画像、裏表紙画像、表表紙の裏面画像、背表紙の裏面画像および裏表紙の裏面画像から構成される。図４Ａおよび図４Ｂは、左綴じ用の表紙Ｃの表紙画像ＣＧを示している。なお、データ編集部４４は、左綴じ用の表紙画像データＣＧＤの編集に限定されるものではなく、右綴じ用または上綴じ用に用いることも可能である。
【００３３】
表紙画像データ編集部４４２は、入力部４Ｂが受け付けた製本の綴じ位置情報、すなわち表紙Ｃが左綴じ、右綴じまたは上綴じであるかに応じて、表表紙画像、背表紙画像、裏表紙画像、表表紙の裏面画像、背表紙の裏面画像および裏表紙の裏面画像の白紙表紙画像上の配置順を変更できる。表紙画像データ編集部４４２は、シリーズ画像ＳＧを各冊子の背に表示させるように、表紙画像データＣＧＤを編集するものでもある。表紙画像データ編集部４４２によるシリーズ画像ＳＧの処理については後述する。
【００３４】
本紙画像データ編集部４４３は、本紙原稿データＨＤＤに基づいて、各冊子の本紙画像データＨＧＤを編集するものである。図５は本紙画像ＨＧの編集画面を示す。本紙画像データ編集部４４３は、図５に示すように、本紙原稿データＨＤＤに基づいて、白紙本紙画像上に本紙原稿画像ＨＤＧを配置して各本紙画像ＨＧをページ順に表示するとともに、各本紙画像ＨＧのサムネイル画像も表示する。ユーザは本紙画像ＨＧを参照しながら、白紙本紙画像上の本紙原稿画像ＨＤＧが所望の位置、方向および大きさとなるように入力部４Ｂを操作する。本紙画像データ編集部４４３は、入力部４Ｂからの操作情報に基づいて、本紙画像データＨＧＤを編集する。
【００３５】
また、本紙画像データ編集部４４３は、入力部４Ｂが受け付けた面付け情報に基づいて、本紙白紙画像上に面数分の本紙原稿画像ＨＤＧを配置する。また、本紙画像データ編集部４４３は、入力部４Ｂが受け付けた片面印刷または両面印刷であるかを示す印刷条件情報に基づいて、各本紙画像ＨＧが本紙Ｈの表面または裏面のいずれに属するかの識別を表示する。本紙画像データ編集部４４３は、シリーズ画像ＳＧを各冊子の天、地または小口に表示させるように、本紙画像データＨＧＤを編集するものである。本紙画像データ編集部４４３によるシリーズ画像ＳＧの処理については後述する。
【００３６】
シリーズ画像ＳＧの表示について説明する。制御部４４１は、表示部４Ａに図６に示すような設定画面を表示させ、入力部４Ｂにシリーズ画像ＳＧの表示箇所の指定を受け付けさせ、表示箇所を設定する。シリーズ画像ＳＧの表示箇所は、各冊子の天、地または小口の少なくともいずれかである。したがって、複数の箇所を指定することも可能である。そして、シリーズ画像ＳＧは、各冊子の背にも表示できるが、背のみに表示させることはできない。入力部４Ｂがシリーズ画像ＳＧの表示箇所の指示を受け付けると、制御部４４１は、表示部４Ａに図７に示すようなシリーズ画像ＳＧの詳細設定画面を表示させ、入力部４Ｂにシリーズ画像ＳＧの詳細設定を受け付けさせる。
【００３７】
シリーズ画像ＳＧには、予め用意されている画像を用いることもできるし、外部からのデータを用いることもできる。本実施形態において、予め用意されている画像は、赤、青または緑のいずれかの色を有する、幾何学形状、直線形状または波線形状の画像である。幾何学形状は少なくとも１つの円、楕円、矩形等の幾何学図形で構成される画像、直線形状は少なくとも１つの直線または斜線で構成される画像、波線形状は少なくとも１つの波線で構成される画像である。なお、これらの形状および色は特に限定されるものではない。シリーズ画像ＳＧに外部からのデータを用いる場合は、ユーザ指定の外部データが読み出される。
【００３８】
入力部４Ｂがシリーズ画像ＳＧの詳細設定を受け付けると、制御部４４１は、表示部４Ａに図８に示すように、天表示、地表示および小口表示の詳細設定画面を表示させ、入力部４Ｂに各表示の詳細設定の指示を受け付けさせ、各表示の詳細を設定する。天表示および地表示の詳細設定においては、シリーズ画像ＳＧを背側、中央または小口側の少なくともいずれに表示させるかの表示位置を設定する。また、小口の詳細設定においては、シリーズ画像ＳＧを天側、中央または地側のいずれに表示させるかの表示位置を設定するとともに、インデックスを表示させるか否かを設定する。
【００３９】
次に制御部４４１は、表示部４Ａに図９に示すようなシリーズ画像ＳＧの表示態様の設定画面を表示させ、入力部４Ｂに表示態様の指示を受け付けさせ、表示態様を設定する。制御部４４１は、共通のシリーズ画像ＳＧを各冊子に表示させる態様、シリーズ画像ＳＧを複数の分割画像ＳＤＧに分割し、各分割画像ＳＤＧを各冊子に表示させる態様、もしくは、複数のサブ画像ＳＢＧから成るシリーズ画像ＳＧを用い、各サブ画像ＳＢＧを各冊子に表示させる態様のいずれかを設定する。
【００４０】
共通のシリーズ画像ＳＧを各冊子に表示させる態様を説明する。図１０は、共通のシリーズ画像を表示させる処理を模式的に示す図である。本実施形態では、二重の正方形からなるシリーズ画像ＳＧを各冊子の小口と背の両方に表示させる。制御部４４１は区切ページの情報および用紙の厚み情報に基づいて各冊子の厚みを算出する。具体的に、制御部４４１は、片面印刷においては、各冊子のページ数に本紙用紙の厚みを乗算して各冊子の厚みを算出する。また、制御部４４１は、両面印刷においては、各冊子のページ数が偶数の場合はページ数の半分の値に本紙用紙の厚みを乗算して各冊子の厚みを算出し、各冊子のページ数が奇数の場合はページ数に１を加算し、その半分の値に本紙用紙の厚みを乗算して各冊子の厚みを算出する。
【００４１】
本紙画像データ編集部４４３は、各冊子の厚み情報に基づいて、シリーズ画像ＳＧが各冊子の小口内に表示されるように、シリーズ画像ＳＧを必要に応じて拡大または縮小する。シリーズ画像ＳＧの拡大または縮小の処理は、ユーザ操作に基づいて行ってもよく、本紙画像データ編集部４４３が、たとえば、シリーズ画像ＳＧの幅寸法が冊子の厚みに所定の縮小率を掛けた値となるように自動的に拡大または縮小してもよい。本実施形態では、シリーズ画像ＳＧの幅寸法が最小ページ数の冊子の幅に所定の縮小率を掛けた値となるように、本紙画像データ編集部４４３が、シリーズ画像ＳＧを自動的に拡大または縮小するため、各冊子のシリーズ画像ＳＧは同じ大きさとなるが、各冊子のページ数に応じてシリーズ画像ＳＧの大きさが異なるようにしてもよい。
【００４２】
本紙画像データ編集部４４３は、シリーズ画像ＳＧを所定方向に分割して複数のシリーズ片画像ＳＰＧを生成する。そして、本紙画像データ編集部４４３は、本紙の小口側の端を含む領域に相当する本紙画像ＨＧ上に各シリーズ片画像ＳＰＧを配置する。図１０においては、本紙Ｈの小口側、天側および地側の各端に相当する部分を破線で示している。すなわち本紙画像ＨＧのうち、当該破線よりも内側が製本される領域であり、外側が化粧裁ちされて製本されない領域である。本紙画像データ編集部４４３は、シリーズ片画像ＳＰＧが小口側の破線を含み当該破線より内側５ｍｍ以内、望ましくは３ｍｍ以内、より望ましくは２ｍｍ以内の領域にシリーズ片画像が配置されるように、各本紙画像データＨＧＤを編集する。
【００４３】
ここで、シリーズ画像ＳＧを各冊子の天または地に表示させるには、シリーズ画像ＳＧを小口に表示させる場合と同様に、各シリーズ片画像ＳＰＧを天側または地側の破線を含む当該破線を含む領域に配置すればよく、その詳細な説明は省略する。続いて、表紙画像データ編集部４４２が、表紙Ｃの背表紙領域に相当する表紙画像ＣＧ上にシリーズ画像ＳＧを配置する。これにより、図１１に示すように、各冊子の小口および背の両方に共通の二重の正方形が表示され、ユーザは各冊子が同じシリーズであることを容易に確認できる。
【００４４】
次にシリーズ画像ＳＧを複数の分割画像ＳＤＧに分割し、各分割画像ＳＤＧを各冊子に表示させる態様を説明する。図１２は、シリーズ画像ＳＧを分割して表示させる処理を模式的に示す図である。制御部４４１は、各冊子のページ数と本紙用紙との厚み寸法に基づいて、各冊子の厚みを算出し、各冊子の厚みと本紙用紙の高さ寸法とに基づいて、各冊子を並べたときの総小口の大きさを求める。本紙画像データ編集部４４３は、図１２に示すように、総小口の大きさに相当する枠内にシリーズ画像ＳＧを配置する。なお、図１２における破線は、冊子を並べた状態において分冊される箇所を示している。
【００４５】
本紙画像データ編集部４４３は、シリーズ画像ＳＧの全体が全小口に亘って表示されるように、必要に応じてシリーズ画像ＳＧを拡大または縮小する。本紙画像データ編集部４４３は、ユーザ指示に基づいて、シリーズ画像ＳＧの拡大または縮小を行ってもよく、たとえば、シリーズ画像ＳＧの幅寸法が総小口の厚み寸法と同じになるように、自動的に拡大または縮小を行ってもよい。
【００４６】
本紙画像データ編集部４４３は、シリーズ画像ＳＧを各冊子のページ数に基づいて、複数の分割画像ＳＤＧに分割し、各分割画像ＳＤＧを各冊子に割り当てる。すなわち本紙画像データ編集部４４３は、各分割画像ＳＤＧの画像サイズが、シリーズ画像ＳＧと同じ高さサイズを有し、且つシリーズ画像ＳＧの幅サイズに、各冊子のページ数の全冊子の総ページ数に対する比率を乗算した幅サイズを有するように分割する。
【００４７】
たとえば、シリーズ画像ＳＧの画像サイズが、高さサイズが２００画素で幅サイズが４００画素とし、原稿Ｄは、１冊目が５０ページ、２冊目が２０ページ、３冊目が７０ページおよび４冊目が６０ページの総ページ数が２００ページの原稿Ｄとすると、各分割画像ＳＤＧの画像サイズは、高さサイズが２００画素であり、１冊目に割り当てられる分割画像ＳＤＧの幅サイズは４００画素に５０ページ／２００ページの比率を乗算して１００画素となり、２冊目に割り当てられる分割画像ＳＤＧの幅サイズは４００画素に２０ページ／２００ページの比率を乗算して４０画素となり、３冊目に割り当てられる分割画像ＳＤＧの幅サイズは４００画素に７０ページ／２００ページの比率を乗算して１４０画素となり、最後に４冊目に割り当てられる分割画像ＳＤＧの幅サイズは４００画素に６０ページ／２００ページの比率を乗算して１２０画素となる。
【００４８】
上記の実施形態においては、シリーズ画像ＳＧは、３個の花柄の形状が等間隔で配置されている元の画像を維持した状態で４つの分割画像ＳＤＧに分割し、各分割画像ＳＤＧが各冊子に割り当てられている。しかしながら、シリーズ画像ＳＧは、全小口に亘って表示される画像であればよく、元の画像の一部をシリーズ画像ＳＧとしてもよい。
【００４９】
図１３は、元画像の一部をシリーズ画像ＳＧとして用い、当該シリーズ画像ＳＧを分割して表示させる処理を模式的に示す図である。本実施形態では、図１３に示すように、シリーズ画像ＳＧの元の画像は１匹の龍を表している。そして、この元画像に対してユーザ操作に基づく尾の一部分を削除するトリミングを行い、トリミングした画像をシリーズ画像ＳＧとして必要に応じて拡大または縮小する。そして、シリーズ画像ＳＧを、先の実施形態と同様に、複数の分割画像ＳＤＧに分割し、各分割画像ＳＤＧを各冊子に割り当てて表示させることもできる。
【００５０】
また、本実施形態でのシリーズ画像ＳＧは、各分割画像ＳＤＧを所定の並び順に配置したときにのみ復元される画像である。したがって、本紙画像データ編集部４４３が、各冊子のシリーズの順番と各分割画像ＳＤＧの並び順を対応させて、各分割画像ＳＤＧを各冊子に割り当てることにより、ユーザは、各冊子を並べて表示した際、各冊子が同じシリーズであることを容易に確認できるだけではなく、各冊子がシリーズ順に並んでいるかも容易に確認できる。なお、割り当てられた各分割画像ＳＤＧが各冊子の小口に表示されるようにする処理は、共通のシリーズ画像を冊子に表示させる態様と同様に、各分割画像ＳＤＧをシリーズ片画像ＳＰＧに分割して配置すればよく、その詳細な説明は省略する。
【００５１】
次に複数のサブ画像ＳＢＧより成るシリーズ画像ＳＧを用い、各サブ画像ＳＢＧを表示させる態様を説明する。図１４は、サブ画像ＳＢＧを各冊子に表示させる態様の処理を模式的に示す図である。複数のサブ画像ＳＢＧからなるシリーズ画像ＳＧは、各サブ画像ＳＢＧを並べて表示することでユーザにとって意味をなす画像である。本実施形態では、シリーズ画像ＳＧは、１〜６個のいずれかの星印マークを有する珠を表す６つのサブ画像ＳＢＧで構成され、各サブ画像ＳＢＧが各冊子の小口に表示されるものとする。
【００５２】
本紙画像データ編集部４４３は、各サブ画像ＳＢＧを各冊子に割り当てる。そして、本紙画像データ編集部４４３は、各冊子の厚み情報に基づいて、サブ画像ＳＢＧが小口内に表示されるように、必要に応じて各サブ画像ＳＢＧを拡大または縮小する。拡大または縮小の処理は、共通のシリーズ画像ＳＧを各冊子に表示される態様と同じであり、その説明を省略する。本実施形態では、各冊子の厚みに応じて各サブ画像ＳＢＧの大きさが異なるようする。これにより、各冊子の分量を容易に確認することもできる。なお、複数のサブ画像ＳＢＧからなるシリーズ画像ＳＧは、１つのデータを指定するものであってもよく、複数のデータを指定するものであってもよい。
【００５３】
また、本紙画像データ編集部４４３は、各サブ画像ＳＢＧが所定の並び順で配置したときにシリーズ画像ＳＧを復元するものである場合、各冊子のシリーズ順と各サブ画像ＳＢＧの並び順とを対応させて、各サブ画像ＳＢＧを割り当てることもできる。これにより、ユーザは、各冊子を並べて表示した際、各冊子がシリーズであることを確認できるだけではなく、各冊子が所定のシリーズ順に並んでいるか否かをも確認できる。割り当てられた各サブ画像ＳＢＧが各冊子の小口に表示されるようにする処理は、共通のシリーズ画像ＳＧを各冊子に表示させる態様と同様に、各サブ画像ＳＢＧをシリーズ片画像ＳＰＧに分割して配置する処理と同じであり、その詳細な説明は省略する。
【００５４】
上述した３つのいずれの態様においても、小口にインデックスを表示させることができる。本紙画像データ編集部４４３は、本紙Ｈの小口側の端を含む領域に相当する本紙画像上に対応する章番号を有する章画像ＩＧを配置することにより、図１５に示すように、本紙Ｈの小口側の端を含む領域に章画像ＩＧが印刷される。また、冊子を閉じると、各冊子の小口に章範囲を示す章範囲画像ＩＲＧが表示される。
【００５５】
本紙画像データ編集部４４３は、最初の章の章範囲画像ＩＲＧが最も天側となり、後続の章範囲画像ＩＲＧが順々に地側となるように、本紙画像上に章画像ＩＧを配置する。そして、本紙画像データ編集部４４３は、所定の章範囲画像ＩＲＧが、再び最も天側となるように、本紙画像上に章画像ＩＧを配置する。本実施形態では、具体的に、最初の章と、最初の章に４の倍数を加えた章については、最も天側に配置するものとする。これにより、図１５に示すように、複数の冊子を並べた際に、天側から地側に向けて並ぶ４つの章範囲画像ＩＲＧからなるパターンが、複数の冊子の小口に亘って形成されるため、各冊子が同じシリーズであることがより確認し易くなる。
【００５６】
本実施形態においては、シリーズ画像を３つのいずれかの態様で表示させるものとして説明したが、特に限定されるものではない。これらの３つの態様のうち、少なくとも２つの態様を組み合わせて表示させることも可能である。図１６は、シリーズ画像ＳＧを複数の分割画像ＳＤＧに分割し、各分割画像ＳＤＧを表示させる態様と、複数のサブ画像ＳＢＧからなるシリーズ画像を用い、各サブ画像を表示させる態様とを組み合わせたものである。
【００５７】
これらの組み合わせ態様を組み合わせた場合、図１６の上図に示すように、分割画像ＳＤＧを割り当てる態様による表示と、サブ画像ＳＢＧを割り当てる態様による表示とを単に合成して表示させることも可能であるが、図１６の下図に示すように、分割画像ＳＤＧが表わす龍の画像とサブ画像ＳＢＧの珠の画像が重ならないように、合成して表示させることも可能である。
【００５８】
本紙画像データ編集部４４３は、各冊子に対して先に分割画像ＳＤＧが表わす龍の画像を配置し、その後にサブ画像ＳＢＧの珠の画像を合成するように配置にする。その際、本紙画像データ編集部４４３は、各冊子において分割画像ＳＤＧが配置された画像領域と分割画像ＳＤＧが配置されない非画像領域を判別する。そして、本紙画像データ編集部４４３は、サブ画像ＳＢＧを図１６の上図に示すような各冊子の所定領域に配置をする際、当該配置領域が画像領域と重なるか否かを判別し、画像領域と重ならない場合はそのまま所定領域にサブ画像ＳＢＧを配置し、画像領域と重なる場合は非画像領域にサブ画像ＳＢＧを配置する。また、本紙画像データ編集部４４３は、望ましくは、全体が非画像領域に収まるようにサブ画像ＳＢＧを配置するが、全体が収まる非画像領域がない場合はその一部が画像領域と重なるようにサブ画像ＳＢＧを配置してもよい。
【００５９】
次にデータ編集部４４の作用を説明する。図１７Ａおよび図１７Ｂはデータ編集部４４の一連の処理を示すフローチャートである。制御部４４１がユーザ指定の原稿データＤＤを読み出す（ＳＴ１）。制御部４４１は、原稿Ｄの区切ページの設定画面を表示させて区切ページを設定する（ＳＴ２）。そして、制御部４４１は、シリーズ画像ＳＧの表示箇所の設定画面を表示させてシリーズ画像ＳＧの表示箇所を設定し（ＳＴ３）、シリーズ画像ＳＧの詳細に関する設定画面を表示させてシリーズ画像ＳＧの詳細を設定する（ＳＴ４）。
【００６０】
制御部４４１が、天表示、地表示および小口表示の詳細設定画面を表示させて各表示を詳細設定し（ＳＴ５）、表示態様の設定画面を表示させてシリーズ画像ＳＧの表示態様を設定する（ＳＴ６）。そして、制御部４４１が各冊子の厚みを算出する（ＳＴ７）。制御部４４１が、表示態様が共通のシリーズ画像ＳＧを表示させる態様か否かを確認し（ＳＴ８）、共通のシリーズ画像ＳＧを表示させる態様の場合は、本紙画像データ編集部４４３が、各冊子の厚みに基づいて、シリーズ画像ＳＧを拡大または縮小し（ＳＴ９）、シリーズ画像ＳＧを複数のシリーズ片画像ＳＰＧに分割して本紙画像ＨＧ上に配置する（ＳＴ１０）。
【００６１】
表示態様が共通のシリーズ画像を表示させる態様ではない場合、制御部４４１は、表示態様がシリーズ画像を複数の分割画像に分割して表示させる態様であるかを確認し（ＳＴ１１）、分割して表示させる態様の場合は、本紙画像データ編集部４４３が、シリーズ画像ＳＧが全小口に亘って表示されるように、シリーズ画像ＳＧを拡大または縮小し（ＳＴ１２）、各冊子のページ数に基づいて、シリーズ画像ＳＧを複数の分割画像ＳＤＧに分割して各冊子に割り当てる（ＳＴ１３）。そして、本紙画像データ編集部４４３が、各分割画像ＳＤＧをシリーズ片画像ＳＰＧに分割して本紙画像ＨＧ上に配置する（ＳＴ１４）。
【００６２】
表示態様がシリーズ画像ＳＧを複数の分割画像に分割して表示させる態様でない場合、制御部４４１は、複数のサブ画像ＳＢＧからなるシリーズ画像ＳＧを用い、各サブ画像ＳＢＧを表示させる態様であるか否かを確認し（ＳＴ１５）、サブ画像ＳＢＧを表示させる態様の場合は、本紙画像データ編集部４４３が、各冊子の厚みに基づいて、サブ画像ＳＢＧを拡大または縮小し（ＳＴ１５）、サブ画像ＳＢＧをシリーズ片画像ＳＰＧに分割して本紙画像ＨＧ上に配置する（ＳＴ１７）。
【００６３】
制御部４４１は、シリーズ画像ＳＧの表示態様がいずれの態様でもない場合、その処理を終了する。制御部４４１が、シリーズ画像ＳＧを各冊子の背にも表示させるか否かを確認し（ＳＴ１８）、シリーズ画像ＳＧを背にも表示させる場合は、表紙画像データ編集部４４２が、共通して表示させる態様の場合はシリーズ画像ＳＧを、分割画像ＳＤＧを表示させる態様の場合は分割画像ＳＤＧを、サブ画像ＳＢＧを表示させる態様の場合はサブ画像ＳＢＧを、表紙画像ＣＧ上の背表紙領域に配置する（ＳＴ１７）。制御部４４１は、小口にインデックスを表示させるか否かを確認し（ＳＴ１８）、インデックスを表示させる場合は、本紙画像データ編集部４４３が章画像ＩＧを本紙画像ＨＧ上の小口端に相当する部分を含む領域に配置し（ＳＴ１９）、その処理を終了する。
【００６４】
以上に述べた通り、上記の実施形態によれば、シリーズ画像ＳＧを、複数の冊子の天、地または小口の少なくともいずれかに表示させるように、本紙画像データＨＧＤを編集するため、シリーズ画像ＳＧが各冊子の天、地または小口にシリーズ画像ＳＧが表示される。したがって、各冊子の背が確認し辛い場合であっても、複数の冊子が同じシリーズのものであることを容易に確認できる。
【００６５】
また、上記の実施形態によれば、シリーズ画像ＳＧを複数の分割画像ＳＤＧに分割して各冊子に割り当て、各分割画像ＳＤＧを各冊子の天、地または小口の少なくともいずれかに表示させるように、本紙画像データＨＧＤを編集するため、複数の冊子を並べた際に天、地または小口の少なくともいずれかにシリーズ画像ＳＧが復元される。したがって、複数の冊子が同じシリーズのものであることをより容易に確認できるとともに、複数の冊子を並べた際の美観が向上する。
【００６６】
また、上記の実施形態によれば、シリーズ画像ＳＧが複数の分割画像ＳＤＧを所定の並び順で配置したときにのみ復元される画像である際、本紙画像データ編集部４４３は、複数の冊子のシリーズ順と所定の並び順とを対応させて各分割画像ＳＤＧを各冊子に割り当て、各分割画像ＳＤＧを各冊子の天、地または小口の少なくともいずれかに表示させるように、本紙画像データＨＧＤを編集するため、複数の冊子を並べた際に、複数の冊子が同じシリーズのものであることをより容易に確認できるとともに、シリーズ画像ＳＧの復元状態によって各冊子の並び順が正しいか否かをも確認できる。
【００６７】
また、上記の実施形態によれば、シリーズ画像ＳＧが、複数のサブ画像ＳＢＧから構成される画像であり、各サブ画像ＳＢＧを各冊子に割り当てて各冊子の天、地または小口の少なくともいずれかに表示させるように、本紙画像データＨＧＤを編集するため、複数の冊子を並べた際に天、地または小口の少なくともいずれかにシリーズ画像が復元される。したがって、複数の冊子が同じシリーズのものであることをより容易に確認できるとともに、複数の冊子を並べた際の美観が向上する。
【符号の説明】
【００６８】
ＣＧＤ    表紙画像データ
Ｄ        原稿
ＨＧＤ    本紙画像データ
ＳＧ      シリーズ画像
ＳＤＧ    分割画像
ＳＢＧ    サブ画像
４        コンピュータ
４４      データ編集部
４４１    制御部
４４２    表紙画像データ編集部
４４３    本紙画像データ編集部
【図１】
2013223103.tif 000003
【図２】
2013223103.tif 000004
【図３】
2013223103.tif 000005
【図４Ａ】
2013223103.tif 000006
【図４Ｂ】
2013223103.tif 000007
【図５】
2013223103.tif 000008
【図６】
2013223103.tif 000009
【図７】
2013223103.tif 000010
【図８】
2013223103.tif 000011
【図９】
2013223103.tif 000012
【図１０】
2013223103.tif 000013
【図１１】
2013223103.tif 000014
【図１２】
2013223103.tif 000015
【図１３】
2013223103.tif 000016
【図１４】
2013223103.tif 000017
【図１５】
2013223103.tif 000018
【図１６】
2013223103.tif 000019
【図１７Ａ】
2013223103.tif 000020
【図１７Ｂ】
2013223103.tif 000021